(57)【要約】【課題】シール部へのダストの噛み込みが起こり、弁箱の下方より水蒸気が上昇してきてシール部へ湿気を与えるため、同シール部にダストが付着し易くなる。【解決手段】弁体は、流入管に臨む側(上面)にダスト溜まりが凹設されたエキセントリック弁からなり、シール機構５は、弁体４と対向する弁箱１の固定部位であるフランジ２に、遊端側が前記弁体４に向けて突出すべくシートホルダー５ａを介して設けられたラバーシート５ｂと、該ラバーシート５ｂが曲がらないように同ラバーシート５ｂ内に設けられた芯金(ＳＳ４００)等の芯材５ｃと、前記ラバーシート５ｂの先端と接するべく前記弁体４に設けられたディスクシート５ｄとを備える。ラバーシート５ｃの側面に沿うべくシートホルダー５ａに形成されたパージ用気体供給口７ａを介して弁体４のシール部に向けて気体を強制的に送給するパージ手段７を備える。【選択図】図３
0003121413.tif 000002
【実用新案登録請求の範囲】
【請求項１】
気密性の弁箱と、該弁箱の略中央に配設された流入管と、該流入管の下位に開閉自在に設けられた弁体と、該弁体と前記流入管とを気密に封止するシール部とを備えてなる弁装置において、前記弁体にダスト溜まりを設けると共に、閉弁時に前記シール部を気密に封止するシール機構を有することを特徴とする弁装置。
【請求項２】
前記シール機構は、弁体と対向する弁箱の固定部位に、遊端側が前記弁体に向けて突出すべくシートホルダーを介して設けられたラバーシートと、該ラバーシートが曲がらないように同ラバーシートに設けられた芯金等の芯材と、前記ラバーシートの先端と接するべく前記弁体に設けられたディスクシートとを備えてなることを特徴とする請求項１に記載の弁装置。
【請求項３】
前記ラバーシートは、ラバーシート圧着用気体の供給によりディスクシート方向に移動すべく設けられていることを特徴とする請求項２に記載の弁装置。
【請求項４】
前記シール機構は、ラバーシートの側面に沿うべくシートホルダーに形成されたパージ用気体供給口を介して弁体のシール部に向けて気体を強制的に送給するパージ手段を有することを特徴とする請求項１又は２に記載の弁装置。
【考案の詳細な説明】
【技術分野】
【０００１】
本考案は、主として高温の鉄鉱石粒や粉体等のダストを含む流体（以下、単に高温粉粒体という）が通過する弁箱を備えた弁装置の改良に関し、更に詳しくは、弁の開閉作動時に生ずるシール部へのダストの噛み込みを防止してシール面の高温損傷を回避することができるのみならず、弁が全閉した際、ガスのシールを完全にできると共に、水蒸気にてシール部が湿気を帯びることでダストを付着してしまうといった不都合をも解決した有用な弁装置に関する。
【背景技術】
【０００２】
従来、斯かる弁装置としては、放熱性を有する壁面からなる気密性弁箱と、該弁箱の略中央に配設された第１の弁体を備えた弁箱を二分割可能な隔壁と、前記弁箱に流体を導く流入管と、該流入管の開口部を弁箱の入口で遮蔽可能な第２の弁体と、前記弁箱から流体を排出する排出管と、該排出管開口部を遮蔽可能に配設された第３の弁体と、前記流入管の外周に摺動可能に挿嵌され、前記弁箱内で流入管開口部と排出管開口部とを接続する摺動管と、該摺動管を駆動する駆動機構と、前記摺動管を待避収納する補助室とを備えている。
【特許文献１】特開平６−１７９４３号公報
【考案の開示】
【考案が解決しようとする課題】
【０００３】
しかしながら、上述した特開平６−１７９４３号公報に開示されている弁装置にあっては、シール面の高温損傷を回避できるため、良好なシール状態を長期間に亘って保持できるといった利点を有するものの、昨今にあっては、バルブの開閉作動時にシール部へのダストの噛み込みを防止して高温粉粒体とガスとをより完全に遮断できる弁装置が要望されている。
【０００４】
特に、弁箱の下方より水蒸気が上昇してきてシール部へ湿気を与えるため、この湿気でシール部にダストが付着し易くなるといった問題があり、シートにダメージを与えるのみならず、気密性をも阻害してしまう一凶になっている。
【０００５】
本考案はこのような従来の要望に鑑みてなされたもので、バルブの開閉作動時にシール部への湿気の流入やダストの噛み込みを防止して高温粉粒体とガスとをより完全に遮断できる有用な弁装置の提供を目的としたものである。
【課題を解決するための手段】
【０００６】
上述の如き従来の問題点を解決し、所期の目的を達成するため本考案の要旨とする構成は、気密性の弁箱と、該弁箱の略中央に配設された流入管と、該流入管の下位に開閉自在に設けられた弁体と、該弁体と前記流入管とを気密に封止するシール部とを備えてなる弁装置において、前記弁体にダスト溜まりを設けると共に、閉弁時に前記シール部を気密に封止するシール機構を有する弁装置に存する。
【０００７】
また、前記シール機構は、弁体と対向する弁箱の固定部位に、遊端側が前記弁体に向けて突出すべくシートホルダーを介して設けられたラバーシートと、該ラバーシートが曲がらないように同ラバーシート内に設けられた芯金等の芯材と、前記ラバーシートの先端と接するべく前記弁体に設けられたディスクシートとを備えるのが良い。
【０００８】
更に、前記ラバーシートは、ラバーシート圧着用気体の供給によりディスクシート方向に移動すべく設けるのが良い。
【０００９】
また、前記シール機構は、ラバーシートの側面に沿うべくシートホルダーに形成されたパージ用気体供給口を介して弁体のシール部に向けて気体を強制的に送給するパージ手段を備えるのが良い。
【考案の効果】
【００１０】
本考案は上述のように構成され、前記弁体にダスト溜まりを設けると共に、閉弁時に前記シール部を封止するシール機構を有することによって、特に上流側に付設されているバルブを全閉してダストを含む流体を、一旦、止めた後、次のガスシールを目的としたバルブを閉める時、上流側に残存していた少量のダストが落下しても、前記弁体のダスト留まりで受け止めることができる結果、シール部にまでダストが行かないため、従来の如き同シール部へのダストの付着や噛み込みを防止できるといった優れた効果を奏するものである。
【００１１】
また、前記シール機構は、弁体と対向する弁箱の固定部位に、遊端側が前記弁体に向けて突出すべくシートホルダーを介して設けられたラバーシートと、該ラバーシートが曲がらないように同ラバーシート内に設けられた芯金等の芯材と、前記ラバーシートの先端と接するべく前記弁体に設けられたディスクシートとを備えたことによって、延いては、前記ラバーシートが、ラバーシート圧着用気体の供給によりディスクシート方向に移動すべく設けたことによって、弁が開閉動作する時、ラバーシート圧着用の気体（Ｎ２  ）ガス圧力は０ｋｇｆ／ｃｍ２でラバーシート先端とディスクシートは軽く接しているものの、弁が全閉した後、Ｎ２  ガスを導入することでラバーシートの先端はディスクシートに強く押し付けられるため、仮令、同ラバーシートの先端が経年変化で摩耗しても、ガスを完全にシールできるいった効果を奏するものである。
【００１２】
また、前記シール機構は、ラバーシートの側面に沿うべくシートホルダーに形成されたパージ用気体供給口を介して弁体のシール部に向けて気体を強制的に送給するパージ手段を備えることによって、シール部へのダストの噛み込みを有効的に防止することができるといった効果を奏するものである。
【００１３】
このように本考案の弁装置は、高温粉粒体とガスとをより完全かつ確実に遮断して、弁箱内への湿気や粉粒体の流入、シール部でのダストの噛み込み、残留（堆積）に伴う作動不良を皆無とする他、構成が単純であるため、大量生産に適し、価格も低廉なものとして需要者に提供できるなど、本考案を実施することはその実益的価値が甚だ大である。
【考案を実施するための最良の形態】
【００１４】
前記弁体にダスト溜まりを設けると共に、閉弁時に前記シール部を封止するシール機構を有する。シール機構は、弁体と対向する弁箱の固定部位に、遊端側が前記弁体に向けて突出すべくシートホルダーを介して設けられたラバーシートと、該ラバーシートが曲がらないように同ラバーシート内に設けられた芯金等の芯材と、前記ラバーシートの先端と接するべく前記弁体に設けられたディスクシートとを備えると共に、前記ラバーシートは、ラバーシート圧着用気体の供給によりディスクシート方向に移動すべく設け、かつ、ラバーシートの側面に沿うべくシートホルダーに形成されたパージ用気体供給口を介して弁体のシール部に向けて気体を強制的に送給するパージ手段を有する。
【実施例】
【００１５】
次に、本考案の実施の一例を図面を参照しながら説明する。図中Ａは、本考案に係る弁装置であり、この弁装置Ａは、図１乃至図２に示すように、所望大きさの弁箱１と、該弁箱１の上位に設けられたフランジ２と、該フランジ２の中心開口に設けられた流入管３と、該流入管３の下端開口に開閉自在に設けられた弁体４と、該弁体４を封止するシール機構５とを備えている。
【００１６】
前記弁箱１は、例えば、上部、下部、両側部、正面及び背面がいずれも断熱材を施してない放熱性及び気密性を有する鋼鈑から成形されおり、水平方向にステム６、６が付設されている。
【００１７】
因に、弁箱１，流入管３の内周面に、それぞれ断熱材(図示せず)をライニングさせて、高熱が外部に漏れ難くしたり、水冷式や空調式等の冷却手段を付設できることは云うまでもない。
【００１８】
弁体４は、流入管３に臨む側(上面)にダスト溜まり４ａが凹設されたエキセントリック弁からなり、図２に示すように、弁軸(図示せず)に回動自在に支承され、エアシリンダ(図示せず)の力を介して開弁(全開)位置では９０度右に回動して流入管３を開放し(図４参照)、閉弁位置では後述するシール機構５と当接して流入管３を気密に遮蔽するものである(図５参照)。
【００１９】
シール機構５は、図３に拡大して示すように、弁体４と対向する弁箱１の固定部位であるフランジ２に、遊端側が前記弁体４に向けて突出すべくシートホルダー５ａを介して設けられたラバーシート５ｂと、該ラバーシート５ｂが曲がらないように同ラバーシート５ｂ内に設けられた芯金(ＳＳ４００)等の芯材５ｃと、前記ラバーシート５ｂの先端と接するべく前記弁体４に設けられたディスクシート５ｄとを備えている。
【００２０】
ラバーシート５ｂは、フランジ２に設けたラバーシート圧着用気体供給路２ａと連通しており、Ｎ２  ガスの供給によりシート先端５ｂ１  がディスクシート５ｄの方向に３．５ｍｍ移動できるようにシートホルダー５ａに保持されている。
【００２１】
また、シール機構５は、ラバーシート５ｃの側面に沿うべくシートホルダー５ａに形成されたパージ用気体供給口７ａを介して弁体４のシール部に向けて気体を強制的に送給するパージ手段７を備えている。
【００２２】
このパージ手段７は、弁箱１の上部からシール部５Ａへ向けてＮ２  ガス等の気体を強制的に送給するものであり、フランジ２に設けたパージ用気体供給口７ａと、該パージ用気体供給口７ａと連通すべく前記シートホルダー５ａに形成された気体供給路７ｂと、該気体供給路７ｂに連通すべく前記ラバーシート５ｃの長手方向側面に沿って外設された気体供給ノズル７ｃｂとから構成されている。
【００２３】
従って、斯かるパージ手段７は、前記フランジ２の側面に設けたパージ用気体供給口７ａから供給される気体を、気体供給路７ｂ、気体供給ノズル７ｃを経てシール部５Ａへと強制的に送給することができる(図３参照)。
【００２４】
このように構成される本考案の弁装置は、まず、バルブの閉作動時に生ずるダストを弁体４のダスト溜まり４ａで受けることができると共に、パージ手段７で、気体をパージ用気体供給口７ａ、気体供給路７ｂ、気体供給ノズル７ｃを介してシール部５Ａ(詳しくは、ラバーシート５ｂ)へと吹き込むことができるため、同ラバーシート５ｂへのダストの噛み込みを防止することができる。
【００２５】
また、弁が開閉動作する時、ラバーシート圧着用のＮ２  ガスの圧力は０ｋｇｆ／ｃｍ２でラバーシート５ｂの先端５ｂ１  とディスクシート５ｄとは軽く接しているだけであるが、弁が全閉した後、ラバーシート圧着用気体供給路２ａからＮ２  ガスを導入することでラバーシート５ｂの先端５ｂ１  が強制的に押し下がってディスクシート５ｄに強く押し付けられるため、ガスを完全に密閉することができる。
【００２６】
しかも、斯かるＮ２  ガスの供給によりラバーシートの先端５ｂ１  がディスクシート５ｄの方向に３．５ｍｍ移動できるようにシートホルダー５ａに保持されているため、仮令、同ラバーシート５ｂの先端が経年変化で摩耗したとしても、シールミスを来すことがない。
【００２７】
また、ラバーシート５ｂ内には芯材５ｃが内設されているため、ラバーシート圧着用Ｎ２  ガスの加圧時でも同ラバーシート５ｂは曲がらなくシール部５Ａを閉塞することができるのである。
【００２８】
尚、本考案の弁装置は、本実施例に限定されることなく、本考案の目的の範囲内で自由に設計変更し得るものであり、本考案はそれらの全てを包摂するものである。
【００２９】
例えば、弁体４としては、本実施例で示したエキセントリック弁のみならず、ボール式弁、スイング弁等にも採用できるものであり、本考案はこれらの全てを包摂するものである。
【図面の簡単な説明】
【００３０】
【図１】本考案に係る弁装置の平面図である。
【図２】同弁装置の要部縦断面図である。
【図３】同弁装置のシール機構を示す要部拡大図縦断面図である。
【図４】同弁装置の開弁状態を示す要部断面図である。
【図５】同弁装置の閉弁状態を示す要部断面図である。
【符号の説明】
【００３１】
１  弁箱
１ａ  下方開口
２  フランジ
２ａ  ラバーシート圧着用気体供給路
３  流入管
４  弁体
４ａ  ダスト溜まり
５  シール機構
５Ａ  シール部
５ａ  シートホルダー
５ｂ  ラバーシート
５ｂ１  先端
５ｃ  芯材
６  ステム
７  パージ手段
７ａ  パージ用気体供給口
７ｂ  気体供給路
７ｃ  気体供給ノズル
【図１】
0003121413.tif 000003
【図２】
0003121413.tif 000004
【図３】
0003121413.tif 000005
【図４】
0003121413.tif 000006
【図５】
0003121413.tif 000007